(57)【特許請求の範囲】
【請求項１】
ウェディングドレスの一部が掛けられることで当該ウェディングドレスを吊り下げるための吊下げ具と、
前記吊下げ具とは別体であって、内部に空気を注入すると女性の上半身の形状に類似する形状に膨らむことが可能で、且つ、内部から空気を抜くと折りたたむことが可能な中空体と、
を備え、
前記中空体が空気を注入されて女性の上半身の形状に類似する形状の状態でウェディングドレスの上半身部内に収容されている時、当該ウェディングドレスを立体的な状態に保持すると共に、当該ウェディングドレスにより保持されるようになっている
ことを特徴とするウェディングドレスの形状保持器具。
【請求項２】
前記中空体は、空気を注入されて膨らんだ状態で、少なくとも女性の上半身の肩部、胸部および背部に類似する形状を有する
ことを特徴とする請求項１記載のウェディングドレスの形状保持器具。
【請求項３】
締め付け部材を有するウェディングドレスの形状保持器具であって、
前記中空体は、空気を注入されて膨らんだ状態で、ウェディングドレスの締め付け部材により保持されるようになっている
ことを特徴とする請求項１または２記載のウェディングドレスの形状保持器具。
【請求項４】
前記中空体は、透明または半透明のビニールから形成される
ことを特徴とする請求項１乃至３のいずれか一項に記載のウェディングドレスの形状保持器具。
【請求項５】
前記吊下げ具は、ハンガーからなる
ことを特徴とする請求項１乃至４のいずれか一項に記載のウェディングドレスの形状保持器具。
【請求項６】
請求項１に記載のウェディングドレスの形状保持器具を用いてウェディングドレスを展示する方法であって、
ウェディングドレスの上半身部分内に、内部に空気が入れられて女性の上半身の形状に類似する形状の状態となった中空体を収容させて保持させる工程と、
前記中空体を収容して保持した状態のウェディングドレスの一部を、前記吊下げ具に掛けることによって、当該ウェディングドレスを吊り下げる工程と、
を備えたことを特徴とするウェディングドレスの展示方法。
【請求項７】
内部に空気を注入すると女性の上半身の形状に類似する形状に膨らむことが可能で、且つ、内部から空気を抜くと折りたたむことが可能な中空体を備え、
前記中空体が空気を注入されて女性の上半身の形状に類似する形状の状態でウェディングドレスの上半身部内に収容されている時、当該ウェディングドレスを立体的な状態に保持すると共に、当該ウェディングドレスにより保持されるようになっている
ことを特徴とするウェディングドレスの形状保持器具。
【請求項８】
請求項７に記載のウェディングドレスの形状保持器具を用いてウェディングドレスを梱包する方法であって、
ウェディングドレスの上半身部分内に、内部に空気が入れられて女性の上半身の形状に類似する形状の状態となった中空体を収容させる工程と、
前記中空体を収容した状態のウェディングドレスを箱に梱包する工程と、
を備えたことを特徴とするウェディングドレスの梱包方法。
【発明の詳細な説明】
【技術分野】
【０００１】
本発明は、ウェディングドレスの形状保持器具、ならびにウェディングドレスの形状保持方法、展示方法および梱包方法に関し、とりわけ、ウェディングドレスを立体的な状態に維持することができるウェディングドレスの形状保持器具、ならびにウェディングドレスの形状保持方法、展示方法および梱包方法に関する。
【背景技術】
【０００２】
従来から、ウェディングドレスとして例えば特許文献１等に示すように様々な種類のものが知られている。このようなウェディングドレスを展示する方法として、従来から、ウェディングドレスをハンガーに吊り下げて並べた状態で展示する方法が一般的に用いられている。また、ウェディングドレスを箱に梱包する方法としては、ウェディングドレスを衣装カバー内に収容し、衣装カバーを折りたたんで婚礼衣装の箱に梱包する方法が一般的に用いられている。
【先行技術文献】
【特許文献】
【０００３】
【特許文献１】特開平９−２１７２１０号公報
【発明の概要】
【発明が解決しようとする課題】
【０００４】
しかしながら、従来のようなウェディングドレスの展示方法では、ウェディングドレスを単にハンガーに吊り下げて並べた状態で展示するだけであるので、実際に人が着用した場合と異なりウェディングドレスは立体的ではない状態で、すなわちほぼ平らな状態で提示されることとなる。このため、従来の方法で展示されたウェディングドレスを見たバイヤー（衣裳店、式場等）やエンドユーザー（花嫁等）は、実際に着用した状態でのウェディングドレスをイメージすることができず、また立体的ではないので見栄えも良くないという問題がある。このように、ウェディングドレスを展示する際には、このようなウェディングドレスは高級な商品であるため、またエンドユーザーにとってはウェディングドレスを見る機会が非常に限られているため、セーター等の通常の衣類を展示する場合と異なり、立体感を出すように展示することが望ましいと考えられる。
【０００５】
また、上述のような従来のウェディングドレスの梱包方法では、婚礼衣装の箱を例えばエンドユーザーが開けた場合に、立体的ではない状態で、すなわちほぼ平らな状態でウェディングドレスが梱包されているので、立体的な状態でウェディングドレスが梱包されている場合と比較して梱包されたウェディングドレスを見たエンドユーザーに大きな感動を与えにくいということが考えられる。また、ウェディングドレスは販売ではなくレンタルが主流であるため、ウェディングドレスを婚礼衣装の箱に梱包して搬送する機会が多く、このため、度重なる婚礼衣装の箱の移動にもかかわらずウェディングドレスを型崩れさせにくいような梱包方法が望まれている。
【０００６】
本発明は、このような点を考慮してなされたものであり、ウェディングドレスを立体的な状態に維持することができ、このため、ウェディングドレスを展示する際にウェディングドレスを見た者にとって実際に着用した状態でのウェディングドレスをイメージすることができるウェディングドレスの形状保持器具および形状保持方法、ならびにウェディングドレスの展示方法を提供することを目的とする。また、本発明は、ウェディングドレスを婚礼衣装の箱に梱包して搬送する際に、ウェディングドレスを立体的な状態に維持し、ウェディングドレスを型崩れさせにくくすることができるウェディングドレスの梱包方法を提供することを目的とする。
【課題を解決するための手段】
【０００７】
本発明は、ウェディングドレスを吊り下げるための吊下げ具と、ウェディングドレスの上半身部分内に収容され、内部に空気が入れられた立体形状の中空体と、を備えたことを特徴とするウェディングドレスの形状保持器具である。
【０００８】
本発明のウェディングドレスの形状保持器具においては、前記中空体は、少なくとも肩部、胸部および背部を有するようになっていてもよい。また、前記中空体は密閉された袋であってもよい。また、前記中空体は透明または半透明のビニールから形成されるようになっていてもよい。
【０００９】
本発明のウェディングドレスの形状保持器具においては、前記吊下げ具はハンガーからなっていてもよい。
【００１０】
本発明は、ウェディングドレスの上半身部分内に、内部に空気が入れられた立体形状の中空体を収容する工程と、吊下げ具によりウェディングドレスを吊り下げる工程と、を備えたことを特徴とするウェディングドレスの形状保持方法である。
【００１１】
本発明のウェディングドレスの形状保持器具においては、前記中空体は、少なくとも肩部、胸部および背部を有するようになっていてもよい。また、前記中空体は密閉された袋であってもよい。また、前記中空体は透明または半透明のビニールから形成されるようになっていてもよい。
【００１２】
本発明は、上述のようなウェディングドレスの形状保持方法により立体的な状態に保持されたウェディングドレスを展示することを特徴とするウェディングドレスの展示方法である。
【００１３】
本発明は、ウェディングドレスの上半身部分内に、内部に空気が入れられた立体形状の中空体を収容する工程と、その上半身部分に中空体が収容されたウェディングドレスを箱に梱包する工程と、を備えたことを特徴とするウェディングドレスの梱包方法である。
【発明の効果】
【００１４】
本発明のウェディングドレスの形状保持器具および形状保持方法によれば、ウェディングドレスの展示や梱包を行う際に、ウェディングドレスを立体的な状態に維持することができる。また、本発明のウェディングドレスの展示方法によれば、ウェディングドレスを立体的な状態に維持することにより、ウェディングドレスを見た者にとって実際に着用した状態でのウェディングドレスをイメージすることができるようになる。また、本発明のウェディングドレスの梱包方法によれば、上述のような効果に加えて、ウェディングドレスを婚礼衣装の箱に梱包して搬送する際に、ウェディングドレスを型崩れさせにくくすることができる。
【図面の簡単な説明】
【００１５】
【図１】本発明の実施の形態による形状保持器具におけるハンガーおよび内部に空気が入れられた立体形状の中空体の構成を示す斜視図である。
【図２】図１に示すハンガーにウェディングドレスを吊り下げ、また、ウェディングドレスの上半身部分に図１に示す中空体を収容することによりウェディングドレスが立体的な状態となったときの構成を示す斜視図である。
【発明を実施するための形態】
【００１６】
以下、図面を参照して本発明の実施の形態について説明する。図１および図２は、本発明によるウェディングドレスの形状保持器具や形状保持方法等の実施の形態を示す図である。このうち、図１は、本実施の形態による形状保持器具におけるハンガーおよび内部に空気が入れられた立体形状の中空体の構成を示す斜視図であり、図２は、図１に示すハンガーにウェディングドレスを吊り下げ、また、ウェディングドレスの上半身部分に図１に示す中空体を収容することによりウェディングドレスが立体的な状態となったときの構成を示す斜視図である。
【００１７】
図１および図２、とりわけ図１に示すように、ウェディングドレス４０の形状保持器具１０は、ウェディングドレス４０を吊り下げるための吊下げ具２０と、ウェディングドレス４０の上半身部分４０ａ（図２参照）内に収容され、内部に空気が入れられた立体形状の中空体３０とを備えている。ここで、吊下げ具２０は、例えばハンガー等の、一般的な衣類を吊り下げるための器具からなる。
【００１８】
図１に示すように、内部に空気が入れられた立体形状の中空体３０は、例えば密閉された袋からなり、人間の女性の上半身の形状に類似する形状となっている。より具体的には、中空体３０は、肩部３２と、胸部３４と、背部３６と、腰部３８とを有している。なお、中空体３０には人間の女性の首に相当するような首部は設けられておらず、肩部３２を含むような中空体３０の上面３０ａはやや平らな形状となっている。胸部３４には、人間の女性の一対の乳房に対応するような一対の乳房部分が形成されている。背部３６は胸部３４の裏側に形成されている。腰部３８は胸部３４の下方に形成されており、人間の女性の腰に対応するようになっている。なお、図１に示すような中空体３０においては、人間の女性の腰よりも下の部位に対応するような部分は設けられておらず、腰部３８の下縁に隣接するような中空体３０の底面３０ｂはやや平らな形状となっている。本実施の形態の形状保持器具においては、中空体３０は、少なくとも肩部３２、胸部３４、背部３６を有していればよく、中空体３０に腰部３８が必ずしも設けられていなくともよい。
【００１９】
図１に示すような中空体３０は、透明または半透明のビニールから形成されている。このため、中空体３０がウェディングドレス４０の上半身部分４０ａ内に収容されたときに、中空体３０は透明または半透明であるため、中空体３０の裏側におけるウェディングドレス４０の内面の模様や色等を視認することができる。
【００２０】
また、図１に示すように、中空体３０の背部３６には、当該中空体３０の内部に空気を入れるための空気注入口３７が設けられている。このような空気注入口３７を介して、例えばコンプレッサー等の空気注入機により、または人間の口を直接空気注入口３７に押し当てることにより、中空体３０の内部に空気を入れることができる。また、立体形状の中空体３０から空気を抜いて折りたたむ際には、この空気注入口３７を介して中空体３０内の空気を外部に排出することができる。
【００２１】
図２に示すように、ウェディングドレス４０には、当該ウェディングドレス４０をハンガー等の吊下げ具２０に掛けるための吊り下げ用紐４２が設けられている。このような吊り下げ用紐４２を吊下げ具２０に掛けることにより、ウェディングドレス４０を吊下げ具２０から吊り下げることができる。
【００２２】
次に、このような構成からなるウェディングドレス４０の形状保持器具１０の動作について説明する。具体的には、ウェディングドレス４０を立体的な状態に保持するためのウェディングドレス４０の形状保持方法について説明する。
【００２３】
まず、ウェディングドレス４０の上半身部分４０ａ内に、内部に空気が入れられた立体形状の中空体３０を収容する。この際に、ウェディングドレス４０の内面における胸回りから腰回りにかけての箇所には、当該ウェディングドレス４０を着る人間の女性の胸回りから腰回りにかけての部位を締め付けるような例えばゴムからなる締め付け部材が設けられているので、ウェディングドレス４０の上半身部分４０ａ内に収容された立体形状の中空体３０をこのような締め付け部材により保持することができる。このようにして、中空体３０が収容されたウェディングドレス４０は立体的な状態に保持されることとなる。また、中空体３０内の空気の量を調整することにより、より適切にウェディングドレス４０の上半身部分４０ａ内に中空体３０を収容させることができる。
【００２４】
そして、図２に示すように、中空体３０が内部に収容されたウェディングドレス４０を吊下げ具２０に掛ける。このようにして、立体的な状態に保持されたウェディングドレス４０を展示することができるようになる。
【００２５】
なお、ウェディングドレス４０を婚礼衣装の箱に梱包する場合は、ウェディングドレス４０の上半身部分４０ａ内に、内部に空気が入れられた立体形状の中空体３０を収容した後、このウェディングドレス４０を吊下げ具２０に掛ける代わりに、中空体３０が収容されたウェディングドレス４０を折りたたんで婚礼衣装の箱に梱包することとなる。
【００２６】
また、ウェディングドレス４０を展示する際に、ウェディングドレス４０の上半身部分４０ａ内に中空体３０を収容する前に、ウェディングドレス４０を先に吊下げ具２０から吊り下げ、その後、吊下げ具２０から吊り下げられた状態でウェディングドレス４０に中空体３０を収容してもよい。
【００２７】
また、ウェディングドレス４０の上半身部分４０ａ内に、内部に空気が入れられた立体形状の中空体３０を収容する際に、まず、空気が全く入れられていないまたは空気があまり入れられていない中空体３０をウェディングドレス４０の上半身部分４０ａ内に収容し、その後、中空体３０に空気を入れてこの中空体３０を膨らませるようにしてもよい。
【００２８】
以上のように本実施の形態のウェディングドレス４０の形状保持器具１０によれば、ウェディングドレス４０を吊り下げるための吊下げ具２０と、ウェディングドレス４０の上半身部分４０ａ内に収容され、内部に空気が入れられた立体形状の中空体３０とがそれぞれ設けられている。このように、立体形状の中空体３０がウェディングドレス４０の上半身部分４０ａ内に収容されるので、当該中空体３０によってウェディングドレス４０を立体的な状態に維持することができ、このため、ウェディングドレス４０を展示する際にウェディングドレス４０を見た者にとって実際に着用した状態でのウェディングドレス４０をイメージすることができるようになる。また、中空体３０の内部には空気が入れられているので、中実のプラスチック材料のような剛性材料からなる部材と比較して中空体３０の形状に弾力性を持たせることができ、このため、剛性材料からなる部材をウェディングドレス４０に収容する場合よりも空気が内部に入れられた中空体３０をウェディングドレス４０に収容する場合のほうが、ウェディングドレス４０が誤って破れたり損傷してしまったりする危険性を減少させることができる。
【００２９】
また、中空体３０が、少なくとも肩部３２、胸部３４および背部３６を有している場合には、中空体３０は、人間の女性の上半身の形状と類似するような形状となるので、このような中空体３０をウェディングドレス４０の上半身部分４０ａ内に収容したときに、ウェディングドレス４０を展示する際にウェディングドレス４０を見た者にとってより一層実際に着用した状態でのウェディングドレス４０をイメージすることができるようになる。
【００３０】
また、本実施の形態のウェディングドレス４０の形状保持方法によれば、ウェディングドレス４０の上半身部分４０ａ内に、内部に空気が入れられた立体形状の中空体３０に収容する工程と、吊下げ具２０によりウェディングドレス４０を吊り下げる工程と、を備えている。このため、このようなウェディングドレス４０の形状保持方法によれば、中空体３０によってウェディングドレス４０を立体的な状態に維持することができる。
【００３１】
また、本実施の形態のウェディングドレス４０の展示方法によれば、上述のようなウェディングドレス４０の形状保持方法により立体的な状態に保持されたウェディングドレス４０を展示するようになっている。このため、このようなウェディングドレス４０の展示方法によれば、ウェディングドレス４０を見た者にとって実際に着用した状態でのウェディングドレス４０をイメージすることができるようになる。
【００３２】
また、本実施の形態のウェディングドレス４０の梱包方法によれば、ウェディングドレス４０の上半身部分４０ａ内に、内部に空気が入れられた立体形状の中空体３０を収容する工程と、その上半身部分４０ａに中空体が収容されたウェディングドレス４０を箱に梱包する工程と、を備えている。このため、このようなウェディングドレス４０の梱包方法によれば、婚礼衣装の箱を例えばエンドユーザー（花嫁等）が開けた場合に、立体的な状態でウェディングドレス４０が梱包されているので、立体的な状態ではないようなウェディングドレスと比較してウェディングドレス４０の見た目がよく、エンドユーザーに大きな感動を与えることができる。また、ウェディングドレス４０を婚礼衣装の箱に梱包して搬送する機会が多い場合でも、ウェディングドレス４０は立体形状の中空体３０によりその形状が保持されるので、度重なる婚礼衣装の箱の移動にもかかわらずウェディングドレス４０を型崩れさせにくくなる。
【００３３】
なお、本発明によるウェディングドレスの形状保持器具、形状保持方法等は、上述のような例に限定されることはなく、様々な変更を行うことができる。例えば、中空体は、内部に空気が入れられた立体形状のものであれば、肩部、胸部、背部を必ずしも有していなくともよい。また、中空体は透明または半透明のビニールから形成されるものに限定されることはなく、光透過性を有さないようなビニール以外の材料から形成されたものであってもよい。
【符号の説明】
【００３４】
１０  形状保持器具
２０  吊下げ具
３０  中空体
３０ａ  上面
３０ｂ  底面
３２  肩部
３４  胸部
３６  背部
３７  空気注入口
３８  腰部
４０  ウェディングドレス
４０ａ  上半身部分
４２  吊り下げ用紐
【図１】
0005478974.tif 000002
【図２】
0005478974.tif 000003